(57)【要約】【課題】  左右のハウジングの判別が感覚的に可能なヘッドホンを提供することにある。【解決手段】  左耳用の音声を発する左ハウジング（Ｌ）と右耳用の音声を発する右ハウジング（Ｒ）とを有し、このヘッドホン（５０）を頭部に装着した状態で、前記各ハウジング（Ｌ，Ｒ）の前面側には、それぞれ指（Ｆ２，Ｆ３）の形状に対応する複数の凹部（２２Ｌ，２２Ｒ，２３Ｌ，２３Ｒ）を有し、後面側には、それぞれ指（Ｆ１）の形状に対応する凹部（２１Ｌ，２１Ｒ）を一つ有して成る。また、音声の音量を設定する操作部（ＳＷ）と、操作部（ＳＷ）からの指示に応じて音量を制御する制御部（Ｃ）とを備え、操作部（ＳＷ）を凹部（２１Ｌ〜２３Ｌ，２１Ｒ〜２３Ｒ）内に配置して成る。【選択図】      図４
2007096414.tif 000002
【特許請求の範囲】
【請求項１】
左耳用の音声を発する左ハウジングと右耳用の音声を発する右ハウジングとを有するヘッドホンにおいて
このヘッドホンを頭部に装着した状態で、
前記各ハウジングの前面側には、それぞれ指の形状に対応する複数の凹部を有し、後面側には、それぞれ指の形状に対応する凹部を一つ有して成ることを特徴とするヘッドホン。
【請求項２】
前記音声の音量を設定する操作部と、前記操作部からの指示に応じて前記音量を制御する制御部とを備え、
前記操作部を前記凹部内に配置して成ることを特徴とする請求項１記載のヘッドホン。
【発明の詳細な説明】
【技術分野】
【０００１】
本発明は、ヘッドホンに係り、特に、その左右のハウジングの判別が容易な構造に関する。
【背景技術】
【０００２】
ヘッドホンの形態として、耳介全体を覆うパッドを備えヘッドバンドにより頭部に装着する大型のものと、アームを耳介に掛けて耳介を軽く押圧するように装着する耳掛け型のものと、音声の放出部を耳孔に挿入して装着させる所謂インナーイヤータイプと称されるものと、がある。
【０００３】
各ヘッドホンは、通常、左右の耳に独立した音声を供給する各耳用の一対のハウジングを有するステレオ仕様となっており、左耳用のハウジングと右耳用のハウジングとを容易に判別できることが必要である。
【０００４】
大型のヘッドホンは、ヘッドバンドの内部に信号線を通すことができるので、一方のハウジング（例えば左耳用）のみから左右両チャネルの信号線を引き出す構造としてあるのが一般的であり、この信号線の有無によって左右の判別をすることは極めて容易であった。
また、耳掛け型のものは、アームの位置により自ずと左右の判別が可能である。
【０００５】
それに反して、インナーイヤータイプのヘッドホンにおいては、それぞれのハウジングから信号線を出す必要があり、また、特に左右を判別できる特徴的構造がないため、判別を積極的に可能とする判別構造を設ける必要があった。
その判別構造を有するヘッドホンの一例として、左右いずれかのハウジングに突起部を設けたものが特許文献１に記載されている。
【特許文献１】特開昭６０−６８７８８号公報
【発明の開示】
【発明が解決しようとする課題】
【０００６】
ところで、近年、大型のヘッドホンにおいて、無線受信手段を内蔵し音声信号を無線で外部のアンプ等から受信して再生するコードレスの無線ヘッドホンが一般化しつつある。
また、ハウジングの内部にフラッシュメモリを搭載し、このメモリにパソコン等から得た音声データを記憶し、コードレスでこれを再生するいわゆる携帯オーディオプレーヤとしての機能を備えた信号線のないヘッドホンが開発されている。
【０００７】
これらのコードレスのヘッドホンにおいては、信号線がないことから左右のハウジングの判別が容易ではなく、突起等による判別では、ハウジングが大きいことからその突起がハウジングのどこに設けられているかを知らなければ、容易に判別することができないという不具合があった。
【０００８】
また、目の不自由な人等を含め何人であっても、単に「二つが違う」ということではなく、「左用」と「右用」ということを感覚として認識でき、それぞれを明確に判別できることが重要である。
従って、例えば、一方のハウジングの外形の一部が突出、あるいは、陥没しているという程度の差では、それが左、右を意味することを感覚的に理解できず、左右の判別が容易とは必ずしも言えない。
望むべくは、例えば、左用、右用を判別する判別構造を知らなくても、使用に際してその判別が感覚的に可能な構造である。
【０００９】
そこで、本発明が解決しようとする課題は、左右のハウジングの判別が感覚的に可能なヘッドホンを提供することにある。
【課題を解決するための手段】
【００１０】
上記の課題を解決するために、本願発明は手段として次の〔１〕及び〔２〕の構成を有する。
〔１〕  左耳用の音声を発する左ハウジング（Ｌ）と右耳用の音声を発する右ハウジング（Ｒ）とを有するヘッドホンにおいて
このヘッドホンを頭部に装着した状態で、前記各ハウジング（Ｌ，Ｒ）の前面側には、それぞれ指（Ｆ２，Ｆ３）の形状に対応する複数の凹部（２２Ｌ，２２Ｒ，２３Ｌ，２３Ｒ）を有し、後面側には、それぞれ指（Ｆ１）の形状に対応する凹部（２１Ｌ，２１Ｒ）を一つ有して成ることを特徴とするヘッドホン（５０）である。
〔２〕  前記音声の音量を設定する操作部（ＳＷ）と、前記操作部（ＳＷ）からの指示に応じて前記音量を制御する制御部（Ｃ）とを備え、前記操作部（ＳＷ）を前記凹部（２１Ｌ〜２３Ｌ，２１Ｒ〜２３Ｒ）内に配置して成ることを特徴とする〔１〕に記載のヘッドホン（５０）である。
【発明の効果】
【００１１】
本発明によれば、左右のハウジングの判別が感覚的に可能になるという効果を奏する。
【発明を実施するための最良の形態】
【００１２】
本発明の実施の形態を、好ましい実施例により図１〜図４を用いて説明する。
図１は、本発明のヘッドホンにおける実施例を示す斜視図である。
図２は、本発明のヘッドホンにおける実施例の使用状態を説明する図である。
図３は、本発明のヘッドホンにおける実施例を説明する図である。
図４は、本発明のヘッドホンにおける実施例の変形例を説明する部分斜視図である。
【００１３】
実施例のヘッドホン５０の構成について図１を用いて説明する。
このヘッドホン５０は、フラッシュメモリを搭載した携帯オーディオプレーヤ機能を備えたヘッドホンである。
【００１４】
このヘッドホン５０は左用のハウジングＬと、右耳用のハウジングＲと、これらを連結するヘッドバンド２とを備えている。
各ハウジングＬ，Ｒは、それぞれ、筐体Ｌ１，Ｒ１を有し、その内部に音声を発するドライバユニットＬ２，Ｒ２が収容されている。
また、各ハウジングの内側の面には、耳介に心地よく当接させるための弾力性を有する環状のパッドＬ３，Ｒ３が設けられている。
各筐体Ｌ１，Ｒ１とヘッドバンド２とは、頭部に装着したときに快適な装着感が得られるようにヘッドバンド２の長さを調節する結合部Ｌ４，Ｒ４により連結される。
【００１５】
右耳用のハウジングＲには、外部の機器との通信をする通信部ＩＦと、この通信部ＩＦを介して外部のパソコン等から入手した音声データを記憶するフラッシュメモリＭと、このヘッドホン５０の全体の動作を制御する制御部Ｃが内蔵されている。
一方、左耳用のハウジングＬの内部には、このヘッドホン５０を駆動するための電源であるバッテリＢが着脱可能に備えられている。
【００１６】
このヘッドホン５０において、音声データ取り込み動作，再生するデータの選択，音量や音質の制御等の操作は、筐体Ｌ１，Ｒ１に設けられた操作釦ＳＷ１，ＳＷ２により行うことができるように構成されている。
制御部Ｃは、操作された操作釦ＳＷ１，ＳＷ２からの指示に応じてヘッドホン５０の動作を制御する。
【００１７】
各筐体Ｌ１，Ｒ１には、その表面に、このハウジングを掴む指に対応する複数の凹部が形成されており、これについて図２を用いて説明する。
図２（ａ）は、このヘッドホン５０をリスナー５１が頭部に装着した状態を示す左耳側から見た図であり、図２（ｂ）は同様に右耳側から見た図である。
【００１８】
図２（ａ）に示す装着状態において、筐体Ｌ１の後方側の面には、左手の親指の形状に合わせて凹ませた親指用凹部２１Ｌを設けてある。
また、前方側の面には、左手の人差し指の形状に合わせて凹ませた人差し指用凹部２２Ｌと、その下方側に、左手の中指の形状に合わせて凹ませた中指用凹部２３Ｌとが設けられている。
【００１９】
一方、図２（ｂ）に示す装着状態において、筐体Ｒ１の後方側の面には、右手の親指の形状に合わせて凹ませた親指用凹部２１Ｒを設けてある。
また、前方側の面には、右手の人差し指の形状に合わせて凹ませた人差し指用凹部２２Ｒと、その下方側に、右手の中指の形状に合わせて凹ませた中指用凹部２３Ｒとが設けられている。また、各親指用凹部２１Ｌ，２１Ｒは、親指用であるが故、他の凹部よりも幅が広く形成されている。
【００２０】
換言するならば、各筐体Ｌ１，Ｒ１の前面側には、親指以外の指に対応する複数の凹部を設けると共に、後面側には親指に対応する一つの凹部を設けたものである。
この各凹部は、具体的には、筐体Ｌ１，Ｒ１の外周面に発してその内部方向に向かって延在し、筐体表面の中央部付近ＣＴＲに到達する前に端部Ｅにて終了する凹部であって、指の先端部形状に倣う曲面を有して凹んだ指当て部である。
【００２１】
このように、各凹部２１Ｌ〜２３Ｌ，２１Ｒ〜２３Ｒは、頭部への装着状態において各ハウジングＬ，Ｒを指で掴む際のその指の配置に対応して設けられているので、実施例のヘッドホン５０は、リスナーが判別構造を知らなくても、指が筐体Ｌ１，Ｒ１の各凹部にフィットするように掴めば自ずとそれが左右の正しい装着状態となるように構成されている。
【００２２】
これを詳しく説明するための図３は、右耳用ハウジングを指で掴む状態を示した図である。
この図によれば、親指用凹部２１Ｒには親指Ｆ１が、人差し指用凹部２２Ｒには人差し指Ｆ２が、また、中指用凹部２３Ｒには中指Ｆ３が自然にあてがわれて収まることが理解される。
すなわち、左右のハウジングの判別が感覚的に可能となっている。さらに、このヘッドホン５０を掴む際によりしっかりと確実に掴むことができる。
【００２３】
このヘッドホン５０の変形例を図４に示す。
上述した実施例においては、操作釦ＳＷ１，ＳＷ２を筐体Ｌ１，Ｒ１の凹部以外の面に設けていたが、この変形例は、操作釦ＳＷを各凹部２１Ｒ〜２３Ｒの中に筐体Ｒ１の表面から突出しないように設けたものである。もちろん、左耳用の筐体Ｌ１に対しても同様に設けることができる
【００２４】
この構成によれば、各操作釦ＳＷが筐体Ｌ１，Ｒ１の表面より突出しないので、誤って押してしまうという誤操作や、他の物がぶつかって操作指示がされて生じる誤動作を防止することができる。
また、各指を各凹部に収めた状態で釦操作が可能となるので、指がぶれることがなく、釦操作が容易であると共に極めて良好な釦操作感覚を得ることができる。
【００２５】
本発明の実施例は、上述した構成及び手順に限定されるものではなく、本発明の要旨を逸脱しない範囲において変形例としてもよいのは言うまでもない。
筐体に設けた凹部は、実施例において、片側３本の指に対応したものであるが、これに限らず、薬指やさらに小指に対応する４つ目、５つ目の凹部を、中指用凹部２３Ｌ，２３Ｒの下側に設けてもよい。
また、実施例は、携帯用オーディオプレーヤの機能を備えたヘッドホンについて説明したが、これに限らず本発明を適用できるのはいうまでもない。
単なるコードレスヘッドホンや信号線のあるヘッドホンに適用してもよく、その場合においても同様の効果が発揮されるものであることは言うまでもない。
【図面の簡単な説明】
【００２６】
【図１】本発明のヘッドホンにおける実施例を示す斜視図である。
【図２】本発明のヘッドホンにおける実施例の使用状態を説明する図である。
【図３】本発明のヘッドホンにおける実施例を説明する図である。
【図４】本発明のヘッドホンにおける実施例の変形例を説明する部分斜視図である。
【符号の説明】
【００２７】
Ｌ  左耳用ハウジング
Ｒ  右耳用ハウジング
Ｌ１  （左耳用ハウジングの）筐体
Ｒ１  （右耳用ハウジングの）筐体
Ｌ２，Ｒ２  ドライバユニット
Ｌ３，Ｒ３  パッド
Ｌ４，Ｒ４  連結部
Ｂ  バッテリ
Ｃ  制御部
ＩＦ  通信部
Ｍ  フラッシュメモリ
ＳＷ１，ＳＷ２  操作釦
２１Ｌ，２１Ｒ  親指用凹部
２２Ｌ，２２Ｒ  人差し指用凹部
２３Ｌ，２３Ｒ  中指用凹部
５０  ヘッドホン
５１  リスナー
Ｆ１  親指
Ｆ２  人差し指
Ｆ３  中指
【図１】
2007096414.tif 000003
【図２】
2007096414.tif 000004
【図３】
2007096414.tif 000005
【図４】
2007096414.tif 000006